(57)【要約】【課題】多数の撮影コマ画像データを記録したＣＤーＲやＤＶＤーＲ等の画像記録メディアを用いた写真プリント注文を、ユーザにとっても写真ショップにとっても便利となる形態で行うことができる技術を提供する。【解決手段】画像データをビューアプログラムとともにデータ記録メディア２０に記録するデータ記録部２とを備えた写真プリント装置。ビューアプログラムにはデータ記録メディア２０に記録された画像を表示しながらプリント注文指示を受け付けてプリント注文データを作成する機能とプリント注文データを二次元コード化して二次元コードイメージデータとして出力する機能が含まれており、かつ前記二次元コードイメージを読み取るコードスキャナ３とこのコードスキャナからの読み取り信号を前記プリント注文データに再生するコード解読部４９が備えられている。【選択図】        図９
2005236774.tif 000002
【特許請求の範囲】
【請求項１】
デジタルの撮影画像データに基づいて写真プリントを出力するプリント出力部と、前記撮影画像データをモニタ画面に表示するビューアプログラムとともに前記撮影画像データをデータ記録メディアに記録するデータ記録部とを備えた写真プリント装置において、
前記ビューアプログラムには前記データ記録メディアに記録された撮影画像データの画像を表示しながら写真プリント注文指示を受け付けてプリント注文データを作成する機能と前記プリント注文データを二次元コード化して二次元コードイメージデータとして出力する機能が含まれており、かつ
前記二次元コードイメージに対する読み取り信号から前記プリント注文データを再生するコード解読部が備えられていることを特徴とする写真プリント装置。
【請求項２】
前記プリント注文データには写真プリント出力の対象となる撮影画像データの撮影コマ番号とプリントサイズとプリント枚数とユーザ画像補正パラメータが含まれていることを特徴とする請求項１に記載の写真プリント装置。
【請求項３】
前記ユーザ画像補正パラメータがトリミングパラメータであることを特徴とする請求項２に記載の写真プリント装置。
【請求項４】
前記コード解読部で再生されたプリント注文データから自動的に写真プリント出力のための制御コマンドが生成されることを特徴とする請求項１〜３のいずれか１項に記載の写真プリント装置。
【発明の詳細な説明】
【技術分野】
【０００１】
本発明は、デジタルの撮影画像データに基づいて写真プリントを出力するプリント出力部と、前記撮影画像データをモニタ画面に表示するビューアプログラムとともに前記撮影画像データをデータ記録メディアに記録するデータ記録部とを備えた写真プリント装置に関する。
【背景技術】
【０００２】
銀塩フィルムカメラで使用された写真フィルムを現像後フィルムスキャナを用いてデジタル化された撮影画像データやデジタルカメラで使用されたメモリカードなどから読み取られた撮影画像データを用いて印画紙を露光して写真プリントを作成する写真ショップでは、各撮影画像を縮小画像で一覧化形成したインデックスプリントも作成して、プリントに使用した写真フィルム又はメモリカードとともにユーザに渡しておくことで、焼き増しプリントの便宜を図っている。ユーザは、写真プリントやインデックスプリントを参考にして焼き増ししたい撮影画像コマのコマ番号を調べ、写真フィルム又はメモリカードとともに焼き増ししたいコマ番号とそのプリントサイズやプリント枚数を写真ショップに伝えて焼き増し注文を行う。このような焼き増しプリント注文は、ユーザにとっても写真ショップにとっても手間のかかる作業となっている。
【０００３】
一般のユーザでは、現像済み写真フィルムの保管がずさんとなることが多く、また撮影済みメモリカードに格納されていた撮影画像データは次の撮影に備えて消去されることがほとんどであることから、最初の写真プリントの作成から日時が過ぎたケースでの焼き増しプリントには、写真プリントそのもので焼き増しを行うことも少なくない。そのように写真プリントから焼き増しプリントを行う際の注文システムとして、焼き増し（複写）したい写真プリントを投入してその画像をモニタで確認しながら注文条件を入力するとその注文情報を二次元コード化してこの写真プリントに印字して返却するプリント受付機と、この写真プリントから撮影画像と二次元コードを読み取り、復元された注文情報に基づいて撮影画像データを処理して新しい写真プリントを出力する画像処理装置とからなるシステムが知られている（例えば、特許文献１参照）。しかしながら、完全な保管状態を維持しない限り、写真プリントは経年劣化するので、写真プリントからの複写として焼き増しプリントを行うと画質の低下は否めない。また、多数の撮影画像コマの焼き増しプリントを注文する場合、プリント受付機の前で立ちながら１枚ずつ写真プリントを投入して注文条件を入力しなければならないこの注文システムは非常に面倒な操作をユーザに強いることになる。
【０００４】
近年、ＣＤーＲやＤＶＤーＲ等の画像記録メディアへの画像データの記録が普及し、そのコストも低下してきたことから、写真ショップにおいても、写真プリント注文時にユーザから取得した撮影画像データをそのような画像記録メディアに記録してユーザに提供することで、写真フィルムやメモリカードさらには写真プリントがなくても、この画像記録メディアさえ持参すれば、画質低下のない焼き増しプリントを可能にしている。その際、焼き増しプリント注文時の撮影画像コマの選択を容易にするために、デジタル画像データを記録可能なデジタルデータ記録面を持つディスク状の画像記録メディアの前記デジタルデータ記録面の反対側の面に、前記デジタル画像データに対応する画像とコマ番号をプリント表示すること、つまり画像記録メディアのレーベル面にインデックスプリントを形成することが提案されている（例えば、特許文献２参照。）。しかしながら、多数の撮影コマを記録した場合限られた面積しかない画像記録メディアのレーベル面に撮影画像とコマ番号を表示すると、各撮影画像の大きさがあまりにも小さくなり、その内容が十分に確認できなくなってしまう。
【０００５】
【特許文献１】特開２００２−２８７２７０号公報（段落番号０１０４−０１１８、図２、図５）
【特許文献２】特開平１１−０８６５０５号公報（段落番号０００７−００１０、図１）
【発明の開示】
【発明が解決しようとする課題】
【０００６】
上記実状に鑑み、本発明の課題は、多数の撮影コマ画像データを記録したＣＤーＲやＤＶＤーＲ等の画像記録メディアを用いた写真プリント注文を、ユーザにとっても写真ショップにとっても便利となる形態で行うことができる技術を提供することである。
【課題を解決するための手段】
【０００７】
上記課題を解決するため、デジタルの撮影画像データに基づいて写真プリントを出力するプリント出力部と、前記撮影画像データをモニタ画面に表示するビューアプログラムとともに前記撮影画像データをデータ記録メディアに記録するデータ記録部とを備えた、本発明による写真プリント装置では、前記ビューアプログラムには前記データ記録メディアに記録された撮影画像データの画像を表示しながら写真プリント注文指示を受け付けてプリント注文データを作成する機能と前記プリント注文データを二次元コード化して二次元コードイメージデータとして出力する機能が含まれており、かつ前記二次元コードイメージに対する読み取り信号から前記プリント注文データを再生するコード解読部が備えられている。
【０００８】
現在普及しているほとんどのパーソナルコンピュータ（以下単にパソコンと称する）はＣＤ−ＲやＤＶＤ−Ｒなどのデータ記録メディアを取り扱うことができるので、写真ショップから提供されたデータ記録メディアから撮影画像データを読み込んで種々の目的に利用することができる。このようなユーザの環境に鑑みて、本発明による写真プリント装置では、データ記録メディアに撮影画像データとともに記録されるビューアプログラムに、ユーザのパソコンで起動させた際にモニタ画面に表示される撮影画像コマに対する写真プリント注文指示をユーザからキーボードやマウスを通じて受けるとともに得られたプリント注文データを二次元コード化した二次元コードイメージデータを、例えばパソコンのプリンタドライバに出力して、パソコンに接続されたプリンタからプリント注文データを示す二次元コードをプリント出力する機能を与え、さらにユーザのパソコンからプリント出力された二次元コードとデータ記録メディアをユーザより受け取り、その二次元コードから再生されたプリント注文データに基づいてデータ記録メディアに記録されている撮影画像データを処理して、ユーザが希望する写真プリントを出力することが可能となる。従って、ユーザは自宅でパソコンを用いて撮影画像をじっくり見ながら写真プリント注文を行うことができ、その写真プリント注文の内容は、高度にデータを圧縮した形態である二次元コードをパソコンにつながっているプリンタを用いて適当な用紙にプリントすることで注文書が完成する。その注文書（二次元コード）とデータ記録メディアを写真ショップに持って行くと、注文書の二次元コードが読み込まれることで注文依頼が完了する。これは、特に多数の撮影画像コマを写真プリント注文するときに好都合である。
【０００９】
この発明では、ユーザのパソコンを用いて、撮影画像をじっくりと見ながら写真プリント注文することができるので、単に撮影コマ番号とプリントサイズとプリント枚数を指定するのではなく、ユーザが希望する種々の画像補正を指示することが可能となる。このため、本発明の好適な実施形態では、 前記プリント注文データには写真プリント出力の対象となる撮影画像データの撮影コマ番号とプリントサイズとプリント枚数とユーザ画像補正パラメータが含まれている。特に、フィルムスキャナやデジタルカメラの高解像度化のおかげで取得される撮影画像データは高解像度となっており、撮影画像コマの特定の小さな領域をＬ版や２Ｌ版サイズの大きさでプリント出力してもその画質は満足できるものであることから、撮影画像コマのトリミングには好都合となっている。このため、前記ユーザ画像補正パラメータの１つをトリミングパラメータとし、従来ではユーザ側で簡単にはできなかったトリミング設定をこの写真プリント注文時に行うことができるようにしている。
【００１０】
さらに、本発明による好適な実施形態の１つとして、前記コード解読部で再生されたプリント注文データから自動的に写真プリント出力のための制御コマンドが生成されるように構成するならば、ユーザ側で作成されたプリント注文データがそのまま写真プリント出力処理に要求される制御コマンドを直接生成するので、オペレータの作業負担を低減させることができる。
本発明によるその他の特徴及び利点は、以下図面を用いた実施形態の説明により明らかになるだろう。
【発明を実施するための最良の形態】
【００１１】
図１は本発明による写真プリント装置を示す外観図であり、この写真プリント装置は、印画紙Ｐに対して露光処理と現像処理とを行うプリント出力部としてのプリントステーション１Ｂと、現像済み写真フィルムＭａやデジタルカメラ用メモリカードＭｂから取り込んだデジタル撮影画像データ（以下単に撮影画像データと呼ぶ）を処理してプリントステーション１Ｂで使用されるプリントデータの生成・転送及びプリントステーション１Ｂに対する制御コマンドの生成・転送などを行う操作ステーション１Ａとから構成されている。
【００１２】
この写真プリント装置はデジタルミニラボとも称せられるものであり、図２からよく理解できるように、プリントステーション１Ｂは２つの印画紙マガジン１１に納めたロール状の印画紙Ｐを引き出してシートカッター１２でプリントサイズに切断すると共に、このように切断された印画紙Ｐに対し、バックプリント部１３で色補正情報やコマ番号などのプリント処理情報を印画紙Ｐの裏面に印字するとともに、デジタル露光部１４で印画紙Ｐの表面に撮影画像の露光を行い、この露光後の印画紙Ｐを複数の現像処理槽を有した処理槽ユニット１５に送り込んで現像処理する。乾燥の後に装置上部の横送りコンベア１６からソータ１７に送られた印画紙Ｐ、つまり写真プリントＦＰは、このソータ１７の複数のトレイ１７ａにオーダ単位で仕分けられた状態で集積される（図１参照）。
【００１３】
上述した印画紙Ｐに対する各種処理に合わせた搬送速度で印画紙Ｐを搬送するために印画紙搬送機構１８が敷設されている。印画紙搬送機構１８は、印画紙搬送方向に関して露光部１４の前後に配置されたチャッカー式印画紙搬送ユニット１８ａを含む複数の挟持搬送ローラ対から構成されている。
【００１４】
デジタル露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００１５】
図１に示されるように、前記操作ステーション１Ａのデスク状コンソールの上部位置には、現像済み写真フィルムＭａの撮影画像コマから撮影画像データを取得するフィルムスキャナ６ａや、デジタルカメラ等に装着される各種メモリカードＭｂやＣＤ−ＲやＤＶＤ−Ｒなどのデータ記録メディア２０などから撮影画像データを取得するメディアリーダユニット６ｂが配置されるが、この実施形態では、メディアリーダユニット６ｂは、この写真プリント装置のコントローラユニット４として機能する汎用パソコンに組み込まれている。さらに、焼き増しプリントの便宜を図るために現像済み写真フィルムＭａやメモリカードＭｂから取得された撮影画像データをＣＤ−ＲやＤＶＤ−Ｒなどのデータ記録メディア２０に記録するデータ記録部としての光ディスク書き込み機２がデスク面に配置されている。また、後で説明するが、ユーザ側で作成される、プリント注文データを二次元コード化して得られた二次元コード、この実施形態ではＱＲコードがプリントされた注文コードシート３からＱＲコードを読み取るためにコントローラユニット４に接続されているコードスキャナとしてのハンディスキャナ７が備えられている。このコントローラユニット４には、各種情報を表示するモニタ５、各種設定や調整を行う際に用いる操作入力部として利用されるキーボード８ａやマウス８ｂなども接続されている。
【００１６】
光ディスク書き込み機２によるデータ記録メディア２０に撮影画像データの書き込み時には撮影画像をパソコン画面に表示するビューアプログラムも書き込まれる。このビューアプログラムは、パソコンにインストールされると、図３に模式的に示されているように、汎用ＯＳ上で起動し、撮影画像コマの表示機能、プリント注文データ作成機能、プリント注文データのＱＲコード化機能、ＱＲコードイメージデータの出力機能等を実現することで、ユーザが撮影画像をブラウジングしながら決定したプリント注文の内容を含むＱＲコードを適当な用紙にプリントすることで図４に示されるような注文コードシート３が作成される。図４での注文コードシート３にはユーザ名やユーザ電話番号などのユーザ情報がプリントされているが、これはビューアプログラムをパソコンにインストールする際に登録したユーザ情報を利用することで可能となる。
【００１７】
このビューアプログラムの撮影画像コマの表示機能とプリント注文データ作成機能によって撮影画像をパソコンのモニタに表示しながらプリント注文をパソコン上で行うことができるが、その際モニタに表示されるプリント注文画面の一例が図５に示されている。
図から明らかなように、このプリント注文画面では、複数の（ここでは８つであるが、この数は変更可能となっている）撮影画像コマが表示され、この撮影画像コマ画像の下側領域には、色補正値を示す色補正値表示エリアとプリント枚数を示す数値を表示する枚数表示エリアとプリントサイズを示す記号を表示するプリントサイズ表示エリアとトリミング設定の有無を示すトリミングチェック欄が形成されている。さらに、画面下側に中止ボタンと、戻るボタンと、次へボタンと、ＯＫボタンが表示されている。このようなプリント注文画面を通じて行うプリント注文の流れを図６のフローチャートを用いて説明する。
【００１８】
このプリント注文処理では、撮影画像コマ単位での画像チェック・プリント枚数・プリントサイズ・トリミング設定処理を行うため、予め設定された情報に基づいて、撮影画像コマの表示順序と表示初期値とが取得され、モニタ画面上に設定数の撮影画像コマの表示をもったプリント注文画面が行われる（＃０１、＃０２）。  ここでは８つの撮影画像コマを１ページとして表示するよう設定されており、「次へ」ボタンを操作すると、次のページの８つの撮影画像コマの表示が行われ、戻るボタンを操作すると、前の８つの撮影画像コマの表示が行われる（＃０３、＃０４）。
【００１９】
なお、画像をチェックしながら必要に応じた色補正やトリミングを行う際には、各撮影画像コマをダブルクリックすることで（＃０５Yes分岐）、図７に示すような色補正・トリミング用の拡大された画像が表示され、精緻に撮影コマ画像のチェックが可能となる（＃０６）。この拡大された画像チェック画面を通じて、色補正やトリミングが行われ（＃０７）、色補正やトリミングが完了すると先のプリント注文画面に戻る。プリント注文画面には、プリント枚数を１枚ずつ増加させる＋ボタンと、プリント枚数を１枚ずつ減少させる−ボタンとが表示されており、このボタンを操作することにより注文対象となる画像に対してプリント枚数が設定される（＃０８）。枚数表示エリアの数値が「０」にディフォルト設定されているが、このディフォルト値は任意に設定可能である。さらに、プリントサイズ表示エリアを挟む位置にＬ、２Ｌ、４つ切りといったプリントサイズを表す記号を順次表示させる右方向矢印と左方向矢印ボタンが表示されており、このボタンを操作することにより所望のプリントサイズが設定される（＃０９）。このプリントサイズ・プリント枚数設定画面では初期状態において、全ての撮影画像コマのプリントサイズ表示エリアの記号が「Ｌ」にディフォルト設定されているが、このディフォルト値も任意に設定可能である。
【００２０】
表示されたプリント注文画面でのプリント注文入力を終えても、ＯＫボタンを操作しない限りこのプリント注文入力処理は続行しており（＃１０No分岐）、全ての画像データの画像チェックとプリント枚数の設定を行い、ＯＫボタンを操作すると（＃１０Yes分岐）、ここまでに決定されたプリント注文に関するプリント注文データが作成される（＃１１）。
【００２１】
ビューアプログラムのプリント注文データ作成機能によって作成されるプリント注文データのデータ構造は、図８で示すようになっており、プリント注文対象なる撮影画像コマの識別コードとしてコマ番号ないしは撮影画像データファイル名、プリント枚数、プリントサイズ、トリミング基準Ｘ・Ｙ位置や縦横サイズからなるトリミングパラメータ、Ｙ（イエロー）Ｍ（マゼンタ）Ｃ（シアン）Ｄ（明度）の色補正パラメータ等を含んでいる。このプリント注文データは各項目に区分けコードを挟んだ文字や数字の列で表すことができ、簡単にＱＲコード化することができる。もしプリント注文データが巨大化して１つのＱＲコードに入らない場合は、ＱＲコードの数を増やすことになる。
【００２２】
このようにしてＱＲコード化されたプリント注文データは注文コードシート３となって、データ記録メディア２０とともに写真ショップに渡すことで、写真プリント注文が完了する。
【００２３】
さて、この写真プリント装置のコントローラユニット４は実質的にはパソコンであり、ＣＰＵを中核部材として、写真プリント装置の種々の動作を行うための機能部をハードウエア又はソフトウエアあるいはその両方で構築しているが、図９に示されているように、本発明に特に関係する機能部としては、フィルムスキャナ６ａやメディアリーダユニット６ｂによって読み取られた撮影画像データを取り込んで次の処理のために必要な前処理を行うデータ前処理部４１と、前述した注文コードシート３のＱＲコードを読み取ったハンディスキャナ７からの読み取り信号を解読してプリント注文データを再生するコード解読部４９と、データ前処理部４１からメモリ４０に転送された撮影コマ画像データに対する処理コマンドをキーボード８ａやマウス８ｂなどの入力操作デバイスからの操作信号及び前記コード解読部４９から送られてくるプリント注文データから処理コマンドを生成する処理コマンド生成部４３、各種ウインドウや各種操作ボタンなどを含むグラフィック操作画面の作成やそのようなグラフィック操作画面を通じてのユーザ操作入力（キーボード８ａやマウス８ｂなどによる）に基づく処理コマンド生成部４３から制御コマンドなどを処理してグラフィックユーザインターフェース（以下ＧＵＩと略称する）を構築するＧＵＩ部４４と、全体的なプリント管理を行うプリント管理部４２と、色補正等のプレジャッジ作業時にプリントソース画像や予想仕上がりプリント画像としてのシミュレート画像などをモニタ５に表示させるためのビデオ信号を生成するビデオ制御部４５と、画像処理が完了した処理済み撮影画像データに基づいてプリントステーション１Ｂのデジタル露光部１４のためのプリントデータを生成するプリントデータ生成部４６と、前述したビューアプログラムを格納しているビューアプログラム格納部４７と、写真プリント出力のソースデータとして入力された撮影画像データと前述したビューアプログラムをＣＤ−ＲやＤＶＤ−Ｒなどのデータ記憶メディア２０に書き込むための形式にフォーマットするフォーマッタ部４８などが挙げられる。
【００２４】
データ前処理部４１は、取り込んだ撮影コマ画像データにサムネイル画像データが含まれている場合はモニタ５での一覧表示などの目的で使用するため高解像度撮影画像データとは別にメモリ４０に送り込むが、もしサムネイル画像データが含まれていない場合は本データから縮小画像を作り出して低解像度撮影画像データとしてメモリ４０に送り込む。この高解像度撮影画像データと低解像度撮影画像データの両方がＣＤ−ＲやＤＶＤ−Ｒなどのデータ記憶メディア２０に書き込まれる。
【００２５】
プリント管理部４２は、メモリ４０に展開された撮影画像データに対して、キーボード８ａやマウス８ｂなどの入力操作デバイスによる操作入力コマンドや前述した注文コードシート３を通じて入力されたプリント注文データに基づいて色補正やトリミングなどを施す画像処理部４２ａを含んでいる。
【００２６】
この写真プリント装置で作成されたデータ記憶メディア２０とそれに記録されている撮影画像データに関するプリント注文データである注文コードシート３とから焼き増しプリントを行う場合は、データ記憶メディア２０をメディアリーダユニット６ｂの光ドライブ部に装填するとともに、注文コードシート３にプリントされているＱＲコードをハンディスキャナ７で読み取る。このＱＲコードで表現されていたプリント注文データはコード解読部４９、処理コマンド生成部４３、ＧＵＩ部４４を経てプリント管理部４２で処理されることになるが、その結果、図１０で示すプリント初期画面にプリントサイズなどのプリント注文データの一部が自動的に設定され、さらに図１１で示されたプレジャッジ画面では、プリント注文データに示されている撮影画像コマが表示されるとともに、それに設定されたプリント注文内容（トリミングや色補正やプリント枚数など）も表示されるので、ユーザの注文設定をチェックすることができる。つまり、ほとんどの写真プリント出力に関する操作設定（トリミングや色補正やプリント枚数など）は自動的に行われているので、オペレータの負担を伴わずに、この焼き増しプリントが行われる。
【００２７】
上述した実施の形態では、注文コードシートにプリントされたＱＲコードを読み取ってプリント注文データを再生するために、ハンディスキャナ７とこのハンディスキャナ７が読み取った画像データを解読してプリント注文データを再生するコード解読部４９が用いられたが、この構成に代えて、ハンディスキャナ機能とコード解読機能を統合したコードリーダを用いてこのコードリーダからの出力信号を直接処理コマンド生成部４３に直接入力する構成を採用してもよい。
【００２８】
さらに上述した実施の形態では、プリントステーション１Ｂは、印画紙Ｐに対し、レーザ式露光エンジンを備えたデジタル露光部１４で撮影画像の露光を行い、この露光後の印画紙Ｐを複数の現像処理する、いわゆる銀塩写真プリント方式を採用していたが、もちろん、本発明におけるプリントステーション１Ｂは、このような方式に限定されるわけではなく、例えば、フィルムや紙にインクを吐出して画像を形成するインクジェットプリント方式や感熱転写シートを用いた熱転写方式など、種々の写真プリント方式を採用することができる。
【産業上の利用可能性】
【００２９】
本発明は、多数の撮影コマ画像データを記録したＣＤーＲやＤＶＤーＲ等の画像記録メディアを用いた写真プリント注文を二次元コードを仲介として行う写真プリント分野に広く利用することができる。
【図面の簡単な説明】
【００３０】
【図１】本発明による写真プリント装置を示す外観図
【図２】写真プリント装置を構成する各要素の説明図
【図３】ビューアプログラムの機能を示す模式図
【図４】注文コードシートの一例を示す平面図
【図５】プリント注文画面の一例を示すモニタ画面図
【図６】プリント注文処理ルーチンを示すフローチャート
【図７】色補正やトリミングのための画像拡大画面を示すモニタ画面図
【図８】プリント注文データのデータ構造を示す模式図
【図９】操作ステーションに搭載されたコントローラの機能を示す機能ブロック図
【図１０】プリント初期画面の一例を示すモニタ画面図
【図１１】プレジャッジ画面の一例を示すモニタ画面図
【符号の説明】
【００３１】
１Ｂ：プリントステーション（プリント出力部）
２：データ記録部
３：ハンディスキャナ
４：コントローラユニット
６ａ：フィルムスキャナ
６ｂ：メディアリーダユニット
２０：データ記録メディア
４２：プリント管理部
４２ａ：画像処理部
４３：処理コマンド生成部
４４：ＧＵＩ部
４６：プリントデータ生成部
４７：ビューアプログラム格納部
４８：フォーマッタ部
４９：コード解読部
【図１】
2005236774.tif 000003
【図２】
2005236774.tif 000004
【図３】
2005236774.tif 000005
【図４】
2005236774.tif 000006
【図５】
2005236774.tif 000007
【図６】
2005236774.tif 000008
【図７】
2005236774.tif 000009
【図８】
2005236774.tif 000010
【図９】
2005236774.tif 000011
【図１０】
2005236774.tif 000012
【図１１】
2005236774.tif 000013